(57)【要約】【課題】  更新前の画像データの後に新しい画像データが画面に表示されることを回避する。【解決手段】  走査線位置検出手段により、現在の走査線Ｓの位置を検出して（Ｓ２）から、走査線Ｓの位置が、位置Ａと位置Ｂとの間、すなわち、第１の画像更新位置にあることを判断し（Ｓ３）、データ更新制御手段により、データ蓄積部からメモリに前段画像データを更新出力して記憶させる（Ｓ４）。その後、現在の走査線Ｓの位置を検出して（Ｓ６）から、走査線Ｓの位置が、位置Ｃと位置Ｄとの間、すなわち、第２の画像更新位置にあることを判断し（Ｓ７）、データ更新制御手段により、データ蓄積部からメモリに後段画像データを更新出力して記憶させる（Ｓ８）。次に、走査手段が画面の下端から上端に切り替わるに伴い、その走査に応答して、更新された前段画像データと後段画像データをメモリから順に読み出して画像表示手段に表示させる。【選択図】        図３
2005091868.tif 000002
【特許請求の範囲】
【請求項１】
（ａ）被写体を撮像した画像データを蓄積するデータ蓄積部と、（ｂ）前記データ蓄積部から更新出力される１フレーム分の画像データを任意の分割線で複数に分割した各分割画像データを分割して記憶するデータ記憶手段と、（ｃ）１フレーム分の画像データを表示する画像表示手段と、（ｄ）前記画像表示手段に表示させる画像データを出力する表示制御手段と、（ｅ）前記表示制御手段における画面を走査し、その走査に応答して対応する画像データを前記データ記憶手段から出力させる走査手段と、（ｆ）前記走査手段による走査線の画面上の位置が各分割画像データの画像更新位置にあることを検出して各分割画像データに対応する更新信号を出力する走査線位置検出手段と、（ｇ）前記各分割画像データに対応する更新信号に応答して前記データ蓄積部から前記データ記憶手段に対応する分割画像データを更新出力して記憶させるデータ更新制御手段とを備え、（ｈ）前記走査線位置検出手段による走査線の位置検出に要する時間に最先分の分割画像データを前記データ記憶手段に更新するのに要すると予測される最大時間を加えた最先最大更新時間の間に前記走査手段が垂直方向に移動するライン数分だけ前記画面の上端よりも下方となる位置から、前記走査線位置検出手段による走査線の位置検出に要する時間に最終分の分割画像データを前記データ記憶手段に更新するのに要すると予測される最大時間を加えた最終最大更新時間の間に前記走査手段が垂直方向に移動する前記ライン数分だけ前記画面の下端よりも上方となる位置までの間に、前記分割線を少なくとも１本存在させるとともに、前記各分割画像データの大きさを、前記走査線位置検出手段による走査線の位置検出に要する時間に最小の分割画像データを前記データ記憶手段に更新するのに要すると予測される最大時間を加えた更新時間の間に前記走査手段が垂直方向に移動する前記ライン数分よりも大に設定し、前記各分割画像データの前記画像表示手段への表示が、画面の上から順番に、かつ、走査線が次に走査する前に完了するように構成したことを特徴とする画像表示装置。
【請求項２】
（ａ）被写体を撮像した画像データを蓄積するデータ蓄積部と、（ｂ）前記データ蓄積部から更新出力される１フレーム分の画像データを任意の分割線で２分割した前段画像データと後段画像データとを分割して記憶するデータ記憶手段と、（ｃ）１フレーム分の画像データを表示する画像表示手段と、（ｄ）前記画像表示手段に表示させる画像データを出力する表示制御手段と、（ｅ）前記表示制御手段における画面を走査し、その走査に応答して対応する画像データを前記データ記憶手段から出力させる走査手段と、（ｆ）前記走査手段による走査線の画面上の位置が第１および第２の画像更新位置にあることを検出して第１および第２の更新信号を出力する走査線位置検出手段と、（ｇ）前記第１の更新信号に応答して前記データ蓄積部から前記データ記憶手段に前段画像データを更新出力して記憶させ、かつ、前記第２の更新信号に応答して前記データ記憶手段に後段画像データを更新出力して記憶させるデータ更新制御手段とを備え、（ｈ）前記分割線の位置を、走査線位置検出手段による走査線の位置検出に要する時間に前段画像データを前記データ記憶手段に更新するのに要すると予測される最大時間を加えた前段最大更新時間の間に前記走査手段が垂直方向に移動するライン数分だけ前記画面の上端よりも下方となる位置から、前記走査線位置検出手段による走査線の位置検出に要する時間に後段画像データを前記データ記憶手段に更新するのに要すると予測される最大時間を加えた後段最大更新時間の間に前記走査手段が垂直方向に移動する前記ライン数分だけ前記画面の下端よりも上方となる位置までの間に設定し、（ｉ）前記第１の更新位置を、前記走査線位置検出手段による走査線の位置検出に要する時間に前段画像データを前記データ記憶手段に更新するのに要すると予測される最小時間を加えた前段最小更新時間の間に前記走査手段が垂直方向に移動するライン数分だけ前記分割線よりも上方となる位置から、前記走査線位置検出手段による走査線の位置検出に要する時間に前段画像データを前記データ記憶手段に更新するのに要すると予測される最大時間を加えた前段最大更新時間の間に前記走査手段が垂直方向に移動するライン数分だけ前記画面の下端よりも上方となる位置までの間の位置とし、（ｊ）前記第２の更新位置を、前記走査線位置検出手段による走査線の位置検出に要する時間に後段画像データを前記データ記憶手段に更新するのに要すると予測される最小時間を加えた後段最小更新時間の間に前記走査手段が垂直方向に移動するライン数分だけ前記画面の下端よりも上方となる位置から、前記走査線位置検出手段による走査線の位置検出に要する時間に後段画像データを前記データ記憶手段に更新するのに要すると予測される最大時間を加えた後段最大更新時間の間に前記走査手段が垂直方向に移動するライン数分だけ前記分割線よりも上方となる位置までの間の位置としたことを特徴とする画像表示装置。
【発明の詳細な説明】
【技術分野】
【０００１】
この発明は、Ｘ線透視装置やＣアーム透視台などに用いられる画像表示装置に関する。
【背景技術】
【０００２】
従来の画像表示装置では、一フレーム分の画像データをメモリに更新して記憶させ、画像表示手段への表示のための走査に応答してメモリに更新された画像データを読み出して表示させる場合、一フレーム分の走査終了後の垂直同期信号に同期させて画像データを読み出すようにしていた。
【発明の開示】
【発明が解決しようとする課題】
【０００３】
しかしながら、メモリに更新させて記憶させるのに時間を有し、すなわち、更新命令発行から画像データの更新開始までの時間が必要であり、この時間が、走査手段が走査開始位置に移行するまでの時間より長い場合、走査手段による画像データの読み出し開始時には、メモリへの画像データの更新が開始されていずに前の画像データを更新している状態になっている。そのため、走査開始時には、画像表示手段に更新前の画像データが表示されていながらも、その走査の途中で画像データの更新が追い越す状態となって、突如、走査の途中から更新後の画像データが表示され、不連続な境界部分が発生して画像表示が不自然になる欠点があった。
【０００４】
この発明は、上記の点に鑑みてなされたものであって、更新前の画像データの後に新しい画像データが画面に表示されることを回避し、不連続な境界部分が発生して画像表示が不自然になることを回避できるようにすることを目的とする。
【課題を解決するための手段】
【０００５】
請求項１に係る発明の画像表示装置は、上述のような目的を達成するために、次のような構成をとる。
すなわち、（ａ）被写体を撮像した画像データを蓄積するデータ蓄積部と、（ｂ）前記データ蓄積部から更新出力される１フレーム分の画像データを任意の分割線で複数に分割した各分割画像データを分割して記憶するデータ記憶手段と、（ｃ）１フレーム分の画像データを表示する画像表示手段と、（ｄ）前記画像表示手段に表示させる画像データを出力する表示制御手段と、（ｅ）前記表示制御手段における画面を走査し、その走査に応答して対応する画像データを前記データ記憶手段から出力させる走査手段と、（ｆ）前記走査手段による走査線の画面上の位置が各分割画像データの画像更新位置にあることを検出して各分割画像データに対応する更新信号を出力する走査線位置検出手段と、（ｇ）前記各分割画像データに対応する更新信号に応答して前記データ蓄積部から前記データ記憶手段に対応する分割画像データを更新出力して記憶させるデータ更新制御手段とを備え、（ｈ）前記走査線位置検出手段による走査線の位置検出に要する時間に最先分の分割画像データを前記データ記憶手段に更新するのに要すると予測される最大時間を加えた最先最大更新時間の間に前記走査手段が垂直方向に移動するライン数分だけ前記画面の上端よりも下方となる位置から、前記走査線位置検出手段による走査線の位置検出に要する時間に最終分の分割画像データを前記データ記憶手段に更新するのに要すると予測される最大時間を加えた最終最大更新時間の間に前記走査手段が垂直方向に移動する前記ライン数分だけ前記画面の下端よりも上方となる位置までの間に、前記分割線を少なくとも１本存在させるとともに、前記各分割画像データの大きさを、前記走査線位置検出手段による走査線の位置検出に要する時間に最小の分割画像データを前記データ記憶手段に更新するのに要すると予測される最大時間を加えた更新時間の間に前記走査手段が垂直方向に移動する前記ライン数分よりも大に設定し、前記各分割画像データの前記画像表示手段への表示が、画面の上から順番に、かつ、走査線が次に走査する前に完了するように構成したことを特徴としている。
【０００６】
分割個数としては、複数であれば良いが、走査線位置検出手段による走査線の位置検出に要する時間に最先分の分割画像データをデータ記憶手段に更新するのに要すると予測される最大時間を加えた最先最大更新時間の間に走査手段が垂直方向に移動するライン数分だけ画面の上端よりも下方となる位置から、走査線位置検出手段による走査線の位置検出に要する時間に最終分の分割画像データをデータ記憶手段に更新するのに要すると予測される最大時間を加えた最終最大更新時間の間に走査手段が垂直方向に移動するライン数分だけ画面の下端よりも上方となる位置までの間に、分割線を少なくとも１本存在させるようにする。そのうえ、各分割画像データの大きさを、走査線位置検出手段による走査線の位置検出に要する時間に最小の分割画像データをデータ記憶手段に更新するのに要すると予測される最大時間を加えた更新時間の間に走査手段が垂直方向に移動するライン数分よりも大に設定する。
最先最大更新時間の間に走査手段が垂直方向に移動するライン数分だけ画面の上端よりも下方となる位置に設定することで、最先分の分割画像データの更新を完了してから走査させることができ、画像データの更新を追い越して走査することを回避できるからである。また、最終最大更新時間の間に走査手段が垂直方向に移動するライン数分だけ画面の下端よりも上方となる位置に設定することで、最終分の分割画像データに対する走査が終了する前に、それよりも前の分割画像データを更新でき、次のフレームで走査したときに、更新された分割画像データを走査できるからである。
分割画像データの大きさが小さいと、その分割画像データの更新が完了する前に、次の分割画像データに対する更新信号を出力してしまう不都合を生じる可能性があり、これを回避するために、分割画像データの大きさを設定するのである。
【０００７】
（作用・効果）
請求項１に係る発明の画像表示装置の構成によれば、データ蓄積部から更新出力される１フレーム分の画像データを任意の分割線で複数に分割し、その各分割画像データを分割してデータ記憶手段に記憶するようにし、走査手段による走査線の位置に応じて、データ蓄積部からデータ記憶手段に各分割画像データを更新出力させ、走査手段が次に画面の上端側から走査するときに、更新した分割画像データを表示できるようにする。
【０００８】
したがって、走査手段による走査線が移動した後の画像データを更新出力して表示していくから、更新命令発行から更新開始までの期間の変動にかかわらず、各分割画像データを画面の上から順番に表示でき、一フレームの途中から突如更新後の画像データが表示されるといったことを回避できる。
また、分割画像データの更新が完了する前に、次の分割画像データに対する更新信号を出力することが無いから、次に更新される画像データのとの間に前の画像データが部分的に残ったまま表示されてしまうことを回避でき、全体として、不連続な境界部分を発生させることが無く、自然な画像を表示できる。
【０００９】
また、請求項２に係る発明の画像表示装置は、上述のような目的を達成するために、次のような構成をとる。
すなわち、（ａ）被写体を撮像した画像データを蓄積するデータ蓄積部と、（ｂ）前記データ蓄積部から更新出力される１フレーム分の画像データを任意の分割線で２分割した前段画像データと後段画像データとを分割して記憶するデータ記憶手段と、（ｃ）１フレーム分の画像データを表示する画像表示手段と、（ｄ）前記画像表示手段に表示させる画像データを出力する表示制御手段と、（ｅ）前記表示制御手段における画面を走査し、その走査に応答して対応する画像データを前記データ記憶手段から出力させる走査手段と、（ｆ）前記走査手段による走査線の画面上の位置が第１および第２の画像更新位置にあることを検出して第１および第２の更新信号を出力する走査線位置検出手段と、（ｇ）前記第１の更新信号に応答して前記データ蓄積部から前記データ記憶手段に前段画像データを更新出力して記憶させ、かつ、前記第２の更新信号に応答して前記データ記憶手段に後段画像データを更新出力させるデータ更新制御手段とを備え、（ｈ）前記分割線の位置を、走査線位置検出手段による走査線の位置検出に要する時間に前段画像データを前記データ記憶手段に更新するのに要すると予測される最大時間を加えた前段最大更新時間の間に前記走査手段が垂直方向に移動するライン数分だけ前記画面の上端よりも下方となる位置から、前記走査線位置検出手段による走査線の位置検出に要する時間に後段画像データを前記データ記憶手段に更新するのに要すると予測される最大時間を加えた後段最大更新時間の間に前記走査手段が垂直方向に移動する前記ライン数分だけ前記画面の下端よりも上方となる位置までの間に設定し、（ｉ）前記第１の更新位置を、前記走査線位置検出手段による走査線の位置検出に要する時間に前段画像データを前記データ記憶手段に更新するのに要すると予測される最小時間を加えた前段最小更新時間の間に前記走査手段が垂直方向に移動するライン数分だけ前記分割線よりも上方となる位置から、前記走査線位置検出手段による走査線の位置検出に要する時間に前段画像データを前記データ記憶手段に更新するのに要すると予測される最大時間を加えた前段最大更新時間の間に前記走査手段が垂直方向に移動するライン数分だけ前記画面の下端よりも上方となる位置までの間の位置とし、（ｊ）前記第２の更新位置を、前記走査線位置検出手段による走査線の位置検出に要する時間に後段画像データを前記データ記憶手段に更新するのに要すると予測される最小時間を加えた後段最小更新時間の間に前記走査手段が垂直方向に移動するライン数分だけ前記画面の下端よりも上方となる位置から、前記走査線位置検出手段による走査線の位置検出に要する時間に後段画像データを前記データ記憶手段に更新するのに要すると予測される最大時間を加えた後段最大更新時間の間に前記走査手段が垂直方向に移動するライン数分だけ前記分割線よりも上方となる位置までの間の位置としたことを特徴としている。
【００１０】
２分割する分割線の位置を、走査線位置検出手段による走査線の位置検出に要する時間に前段画像データをデータ記憶手段に更新するのに要すると予測される最大時間を加えた前段最大更新時間の間に走査手段が垂直方向に移動するライン数分だけ画面の上端よりも下方となる位置から、走査線位置検出手段による走査線の位置検出に要する時間に後段画像データをデータ記憶手段に更新するのに要すると予測される最大時間を加えた後段最大更新時間の間に走査手段が垂直方向に移動するライン数分だけ画面の下端よりも上方となる位置までの間に設定する。
前段最大更新時間の間に走査手段が垂直方向に移動するライン数分だけ画面の上端よりも下方となる位置に設定することで、前段画像データの更新を完了してから走査させることができ、画像データの更新を追い越して走査することを回避できるからである。また、後段最大更新時間の間に走査手段が垂直方向に移動するライン数分だけ画面の下端よりも上方となる位置に設定することで、後段画像データに対する走査が終了する前に、前段画像データを更新でき、次のフレームで走査したときに、更新された前段画像データを走査できるからである。
【００１１】
（作用・効果）
請求項２に係る発明の画像表示装置の構成によれば、データ蓄積部から更新出力される１フレーム分の画像データを任意の分割線で２分割し、その前段画像データと後段画像データとを分割してデータ記憶手段に記憶するようにし、走査手段による走査線の位置が、前段画像データの更新を最も速く行い得る前段最小更新時間と、前段画像データの更新に最も時間を要する前段最大更新時間とを考慮した第１の画像更新位置にある状態で、データ蓄積部からデータ記憶手段に前段画像データを更新出力させ、走査線が画面の下端に移動するまでの間に、前段画像データをデータ蓄積部からデータ記憶手段に更新し、走査手段が次に画面の上端側から走査するときに、更新した前段画像データを表示できるようにする。
一方、走査手段による走査線の位置が、後段画像データの更新を最も速く行い得る後段最小更新時間と、後段画像データの更新に最も時間を要する後段最大更新時間とを考慮した第２の画像更新位置にある状態で、データ蓄積部からデータ記憶手段に後段画像データを更新出力させ、走査線が次の画面の分割線に移動するまでの間に、後段画像データをデータ蓄積部からデータ記憶手段に更新し、走査手段が次に画面の分割線から走査するときに、更新した前段画像データに続けて更新した後段画像データを表示できるようにする。
【００１２】
したがって、走査手段による走査線が移動した後の画像データを更新出力して表示していくから、更新命令発行から更新開始までの期間の変動にかかわらず、前段画像データから後段画像データと順次表示でき、一フレームの途中から突如更新後の画像データが表示されるといったことを回避できる。
また、前段画像データおよび後段画像データそれぞれの更新に最も時間を要しない場合でも、それぞれの最小更新時間を越えないようにして前段画像データおよび後段画像データそれぞれを表示させるから、前段画像データおよび後段画像データの表示において、分割線の近くや画面の下端側に次に更新される画像データが先行して部分的に表示されてしまうことを回避でき、全体として、分割線が１本で、不連続な境界部分を発生させることが無く、自然な画像を表示できる。
【発明の効果】
【００１３】
請求項１に係る発明の画像表示装置の構成によれば、データ蓄積部から更新出力される１フレーム分の画像データを任意の分割線で複数に分割し、その各分割画像データを分割してデータ記憶手段に記憶するようにし、走査手段による走査線の位置に応じて、データ蓄積部からデータ記憶手段に各分割画像データを更新出力させ、走査手段が次に画面の上端側から走査するときに、更新した分割画像データを表示できるようにする。
【００１４】
したがって、走査手段による走査線が移動した後の画像データを更新出力して表示していくから、更新命令発行から更新開始までの期間の変動にかかわらず、各分割画像データを画面の上から順番に表示でき、一フレームの途中から突如更新後の画像データが表示されるといったことを回避できる。
また、分割画像データの更新が完了する前に、次の分割画像データに対する更新信号を出力することが無いから、次に更新される画像データのとの間に前の画像データが部分的に残ったまま表示されてしまうことを回避でき、全体として、不連続な境界部分を発生させることが無く、自然な画像を表示できる。
【発明を実施するための最良の形態】
【００１５】
次に、この発明の一実施例について図面を参照しながら説明する。
図１は、この発明に係る画像表示装置を用いたＸ線撮影装置の実施例を示す全体構成図であり、被写体１を載置するテーブル２を挟んでＸ線を照射するＸ線管３と、Ｘ線管３から被写体１を透過したＸ線像を撮影するイメージインテンシファイア４とを備えて構成されている。
【００１６】
イメージインテンシファイア４には、イメージインテンシファイア４で撮像された被写体１の画像をデジタルの画像データに変換する画像処理手段５が接続され、その画像処理手段５に、ＣＲＴなどの画像表示手段６が画像表示装置７を介して接続されている。
【００１７】
画像表示装置７には、データ蓄積部８、データ記憶手段としてのメモリ９、表示制御手段１０、走査手段１１、走査線位置検出手段１２およびデータ更新制御手段１３が備えられている。
【００１８】
データ蓄積部８では、画像処理手段５からの被写体１を撮像した画像データを蓄積するようになっている。
このデータ蓄積部８には、ビデオなどにより録画された被写体１を撮像した画像データを蓄積するものでも良い。
【００１９】
メモリ９では、データ蓄積部８から更新出力される１フレーム分の画像データを任意の分割線で２分割した前段画像データと後段画像データとを分割して記憶するようになっている。
【００２０】
表示制御手段１０では、メモリ９からの画像データを前段画像データおよび後段画像データとして読み出し、画像表示手段６に表示させる前段画像データおよび後段画像データを出力させるようになっている。
走査手段１１は、画像表示手段６の画面に対応する表示制御手段１０における画面を走査し、その走査に応答して対応する画像データをメモリ９から出力させるようになっている。
【００２１】
走査線位置検出手段１２では、走査手段１１による走査線の位置が第１の画像更新位置にあることを検出して第１の更新信号を出力し、かつ、第２の画像更新位置にあることを検出して第２の更新信号を出力するようになっている。
【００２２】
データ更新制御手段１３では、走査線位置検出手段１２からの第１の更新信号に応答してデータ蓄積部８からメモリ９に前段画像データを更新出力して記憶させ、かつ、第２の更新信号に応答してデータ蓄積部８からメモリ９に後段画像データを更新出力して記憶させるようになっている。
【００２３】
次に、上記第１および第２の画像更新位置について説明する。
図２の画像表示手段の正面図に示すように、表示制御手段１０における画面（画像表示手段６の画面）も、データ蓄積部８から更新出力される１フレーム分の画像データを前段画像データと後段画像データとに分割する任意の分割線に対応する分割線Ｌで分割されることになる。分割線Ｌの位置は、走査線位置検出手段１２による走査線の位置検出に要する時間に前段画像データをメモリ９に更新するのに要すると予測される最大時間を加えた前段最大更新時間Ｔ２、すなわち、機器の精度が低くても前段画像データをメモリ９に確実に更新できる前段最大更新時間Ｔ２の間に走査手段１１が垂直方向に移動するライン数分だけ画面の上端よりも下方となる位置から、走査線位置検出手段１２による走査線の位置検出に要する時間に後段画像データをメモリ９に更新するのに要すると予測される最大時間を加えた後段最大更新時間Ｔ４，すなわち、機器の精度が低くても後段画像データをメモリ９に確実に更新できる後段最大更新時間Ｔ４の間に走査手段１１が垂直方向に移動するライン数分だけ画面の下端よりも上方となる位置までの間に設定する。
【００２４】
（第１の画像更新位置について）
図２の（ａ）に示すように、走査線位置検出手段１２による走査線Ｓの位置検出に要する時間に前段画像データをメモリ９に更新するのに要すると予測される最小時間を加えた前段最小更新時間Ｔ１、すなわち、機器の精度が高くて前段画像データをメモリ９に最も早く更新できる前段最小更新時間Ｔ１の間に走査手段１１が垂直方向に移動するライン数分だけ分割線Ｌよりも上方となる位置Ａから、走査線位置検出手段１２による走査線Ｓの位置検出に要する時間に前段画像データをメモリ９に更新するのに要すると予測される最大時間を加えた前段最大更新時間Ｔ２、すなわち、機器の精度が低くても前段画像データをメモリ９に確実に更新できる前段最大更新時間Ｔ２の間に走査手段１１が垂直方向に移動するライン数分だけ画面の下端よりも上方となる位置Ｂまでの間の位置が第１の更新位置として設定される。
【００２５】
（第２の画像更新位置について）
また、走査線位置検出手段１２による走査線Ｓの位置検出に要する時間に後段画像データをメモリ９に更新するのに要すると予測される最小時間を加えた後段最小更新時間Ｔ３、すなわち、機器の精度が高くて後段画像データをメモリ９に最も早く更新できる後段最小更新時間Ｔ３の間に走査手段１１が垂直方向に移動するライン数分だけ画面の下端よりも上方となる位置Ｃから、図２の（ｂ）に示すように、次の画面の走査において、走査線位置検出手段１２による走査線Ｓの位置検出に要する時間に後段画像データをメモリ９に更新するのに要すると予測される最大時間を加えた後段最大更新時間Ｔ４、すなわち、機器の精度が低くても後段画像データをメモリ９に確実に更新できる後段最大更新時間Ｔ４の間に走査手段１１が垂直方向に移動するライン数分だけ分割線Ｌよりも上方となる位置Ｄまでの間の位置が第２の更新位置として設定される。
【００２６】
次に、上記画像表示装置７による画像データの出力表示動作につき、図３のフローチャート、ならびに、図４、図５および図６の説明図を用いて説明する。
先ず、フラグＦが立っていないかどうか（Ｆ＝０？）を判断し（Ｓ１）、フラグＦが立っていなければ、ステップＳ２に移行し、走査線位置検出手段１２により、現在の走査線Ｓの位置を検出してから、走査線Ｓの位置が位置Ａと位置Ｂとの間にあるかどうか、すなわち、第１の画像更新位置にあるかどうかを判断する（Ｓ３）。
走査線の位置Ｓが第１の画像更新位置になければ、ステップＳ２に戻り、一方、第１の画像更新位置にあれば、第１の更新信号を出力してからステップＳ４に移行する。
【００２７】
ステップＳ４では、第１の更新信号に応答して、データ更新制御手段１３により、データ蓄積部８からメモリ９に前段画像データを更新出力させて記憶させる［図４の（ａ）、（ｂ）、（ｃ）参照］。
その後、ステップＳ５に移行してフラグＦを立てて（Ｆ←１）から、ステップＳ１に移行する。
【００２８】
ステップＳ１でフラグＦが立っている（Ｆ＝１）と判断したとき、すなわち、前段画像データの更新が済んでいると判断したときには、ステップＳ６に移行し、走査線位置検出手段１２により、現在の走査線Ｓの位置を検出し、その後、走査線Ｓの位置が位置Ｃと位置Ｄとの間にあるかどうか、すなわち、第２の画像更新位置にあるかどうかを判断する（Ｓ７）。
【００２９】
走査線の位置Ｓが第２の画像更新位置になければ、ステップＳ７に戻り、一方、ステップＳ７で現在の走査線Ｓの位置が第２の画像更新位置にあると判断したときには、第１の更新信号を出力してからステップＳ８に移行する。
ステップＳ８では、第２の更新信号に応答して、データ更新制御手段１３により、データ蓄積部８からメモリ９に後段画像データを更新出力させて記憶させる［図５の（ａ）、（ｂ）、（ｃ）参照］。
その後、ステップＳ９に移行してフラグＦを降ろして（Ｆ←０）から、ステップＳ１に移行する。
【００３０】
以上の構成により、図４の（ａ）および（ｂ）に示すように、走査手段１１の走査に応答して、メモリ９の更新前の画像データ（旧と表示している）を読み出し、それに対応する画像が表示される。厳密には、図４の（ｂ）で更新前よりも更に前の画像が表示されているが、便宜上更新前の画像（旧）としている。
【００３１】
次いで、走査線Ｓの位置が第１の画像更新位置になるに伴い、図４の（ｃ）および図５の（ａ）に示すように、第１の更新信号に応答して、データ更新制御手段１３により、データ蓄積部８からメモリ９に前段画像データＦＶを更新出力させる。
走査線Ｓの位置が第１の画像更新位置になるに伴い、図５の（ｂ）および図５の（ｃ）に示すように、第２の更新信号に応答して、データ更新制御手段１３により、データ蓄積部８からメモリ９に後段画像データＲＶを更新出力させる。
【００３２】
このような状態で、走査手段１１が画面の下端から上端に切り替わるに伴い、その走査に応答して、メモリ９に更新記憶された前段画像データＦＶおよび後段画像データＲＶが順に読み出され、新しい画像を画像表示手段６に出力して表示する［図５の（ｃ）、図６の（ａ）、（ｂ）、（ｃ）参照］。
この表示につれて、メモリ９には、最新の前段画像データＮＦＶおよび後段画像データＮＲＶが順に更新記憶されていく。
【００３３】
上記構成により、走査線が通過した画面上の画像データのみをメモリ９から読み出して画像表示手段６に更新表示し、同一画面上で、更新前の画像データ（図４の（ａ）および（ｂ）において旧と表示されている）が表示されている状態で、突如更新後の画像データ（図５の（ａ）および（ｂ）において新と表示されている）が表示されていくこと（画像データが旧→新となること）を確実に回避し、画面上の画像データが前段画像データ→後段画像データの順に表示されていく（画像データが新→旧となる）ようになっている。
【００３４】
上記実施例において、ステップＳ２、３、ならびに、ステップＳ６、７の走査手段１１による、走査線の位置Ｓの検出と判断とを外部機器からの割り込みで行うようにしても良い。その場合、画像表示装置を構成するＣＰＵの単なる待ち状態での消費を抑えることができる効果があるからである。
【００３５】
上記実施例では、画面を２分割したものを示したが、本発明としては、分割線の位置ならびに分割画像データの大きさを設定しさえすれば、３個以上に分割するものでも良い。
例えば、３分割の場合で説明すれば、図７の別実施例の画像表示手段の正面図に示すように、３分割される画像データに対応するように、画像表示手段６の画面が２本の第１および第２の分割線Ｌ１，Ｌ２により第１、第２および第３の画面Ｖ１，Ｖ２，Ｖ３に分割される。
【００３６】
第１の分割線Ｌ１の位置は、走査線位置検出手段１２による走査線の位置検出に要する時間に最先分である第１の分割画像データをメモリ９に更新するのに要すると予測される最大時間を加えた最先最大更新時間としての第１の最大更新時間ＴＶ１ｍａｘの間に走査手段１１が垂直方向に移動するライン数分だけ画面の上端よりも下方となる位置ＰＶ１よりも下方に設定されている。
また、第２の分割線Ｌ２の位置は、走査線位置検出手段１２による走査線の位置検出に要する時間に最終分である第３の分割画像データをメモリ９に更新するのに要すると予測される最大時間を加えた最終最大更新時間としての第３の最大更新時間ＴＶ３ｍａｘの間に走査手段１１が垂直方向に移動するライン数分だけ画面の下端よりも上方となる位置ＰＶ３よりも上方に設定されている。
【００３７】
第１、第２および第３の分割画像データの大きさ、すなわち、分割された第１、第２および第３の画面Ｖ１，Ｖ２，Ｖ３それぞれの大きさは、走査線位置検出手段１２による走査線の位置検出に要する時間に最小の分割画像データ（ここでは、第１または第３の画面Ｖ１，Ｖ３）をメモリ９に更新するのに要すると予測される最大時間を加えた更新時間（ここでは、ＴＶ１ｍａｘまたはＴＶ３ｍａｘ）の間に走査手段１１が垂直方向に移動するライン数分よりも大に設定されている。
【００３８】
第１の画像データに対する画像更新位置は、走査線位置検出手段１２による走査線Ｓの位置検出に要する時間に第１の分割画像データをメモリ９に更新するのに要すると予測される最小時間を加えた第１の最小更新時間ＴＶ１ｍｉｎ、すなわち、機器の精度が高くて第１の分割画像データをメモリ９に最も早く更新できる第１の最小更新時間ＴＶ１ｍｉｎの間に走査手段１１が垂直方向に移動するライン数分だけ第１の分割線Ｌ１よりも上方となる位置Ｖ１Ｕから、走査線位置検出手段１２による走査線Ｓの位置検出に要する時間に第１の分割画像データをメモリ９に更新するのに要すると予測される最大時間を加えた第１の最大更新時間ＴＶ１ｍａｘ、すなわち、機器の精度が低くても第１の分割画像データをメモリ９に確実に更新できる第１の最大更新時間ＴＶ１ｍａｘの間に走査手段１１が垂直方向に移動するライン数分だけ第２の分割線Ｌ２よりも上方となる位置Ｖ１Ｄまでの間に設定される。
【００３９】
第２の画像データに対する画像更新位置は、走査線位置検出手段１２による走査線Ｓの位置検出に要する時間に第２の分割画像データをメモリ９に更新するのに要すると予測される最小時間を加えた第２の最小更新時間ＴＶ２ｍｉｎ、すなわち、機器の精度が高くて第２の分割画像データをメモリ９に最も早く更新できる第２の最小更新時間ＴＶ２ｍｉｎの間に走査手段１１が垂直方向に移動するライン数分だけ第２の分割線Ｌ２よりも上方となる位置Ｖ２Ｕから、走査線位置検出手段１２による走査線Ｓの位置検出に要する時間に第２の分割画像データをメモリ９に更新するのに要すると予測される最大時間を加えた第２の最大更新時間ＴＶ２ｍａｘ、すなわち、機器の精度が低くても第２の分割画像データをメモリ９に確実に更新できる第２の最大更新時間ＴＶ２ｍａｘの間に走査手段１１が垂直方向に移動するライン数分だけ画面の下端よりも上方となる位置Ｖ２Ｄまでの間に設定される。
【００４０】
第３の画像データに対する画像更新位置は、走査線位置検出手段１２による走査線Ｓの位置検出に要する時間に第３の分割画像データをメモリ９に更新するのに要すると予測される最小時間を加えた第３の最小更新時間ＴＶ３ｍｉｎ、すなわち、機器の精度が高くて第３の画像データをメモリ９に最も早く更新できる第３の最小更新時間ＴＶ３ｍｉｎの間に走査手段１１が垂直方向に移動するライン数分だけ画面の下端よりも上方となる位置Ｖ３Ｕから、次の画面の走査において、走査線位置検出手段１２による走査線Ｓの位置検出に要する時間に第３の分割画像データをメモリ９に更新するのに要すると予測される最大時間を加えた第３の最大更新時間ＴＶ３ｍａｘ、すなわち、機器の精度が低くても後段画像データをメモリ９に確実に更新できる第３の最大更新時間ＴＶ３ｍａｘの間に走査手段１１が垂直方向に移動するライン数分だけ第１の分割線Ｌ１よりも上方となる位置（Ｖ３Ｄ）までの間に設定される。
【図面の簡単な説明】
【００４１】
【図１】この発明に係る画像表示装置を用いたＸ線撮影装置の実施例を示す全体構成図である。
【図２】画像更新位置の説明に供する画像表示装置の正面図である。
【図３】画像表示装置による画像データの出力表示動作のフローチャートである。
【図４】画像表示装置による画像データの出力表示動作の説明に供するメモリのデータ構成と併せて表示した画像表示手段の正面図である。
【図５】画像表示装置による画像データの出力表示動作の説明に供するメモリのデータ構成と併せて表示した画像表示手段の正面図である。
【図６】画像表示装置による画像データの出力表示動作の説明に供するメモリのデータ構成と併せて表示した画像表示手段の正面図である。
【図７】３分割した別実施例を示す画像表示手段の正面図である。
【符号の説明】
【００４２】
１…被写体
６…画像表示手段
７…画像表示装置
８…データ蓄積部
９…メモリ（データ記憶手段）
１０…表示制御手段
１１…走査手段
１２…走査線位置検出手段
１３…データ更新制御手段
Ａ…位置
Ｂ…位置
Ｃ…位置
Ｄ…位置
Ｓ…走査線
ＦＶ…前段画像データ
ＲＶ…後段画像データ
Ｔ１…前段最小更新時間
Ｔ２…前段最大更新時間
Ｔ３…後段最小更新時間
Ｔ４…後段最大更新時間
【図１】
2005091868.tif 000003
【図２】
2005091868.tif 000004
【図３】
2005091868.tif 000005
【図４】
2005091868.tif 000006
【図５】
2005091868.tif 000007
【図６】
2005091868.tif 000008
【図７】
2005091868.tif 000009